(57)【要約】【課題】本案は、ユーティリティが表示するデバイス情報画面のデバイス表示に関する。ネットワーク接続環境で複数ユーザーが共有使用する場合、デバイス表示の提供する情報はデバイスが検知できるものに限定されている。ここでは情報画面にユーザー入力欄を設け、該入力情報をデバイス情報画面を通じて全ユーザーに提供することによって、より詳細なデバイス情報を共有することを目的とする。【解決手段】本発明のネットワーク管理ユーティリティは、クライアントまたはサーバー上において、デバイスへ情報通知を要求する情報要求手段と、取得した情報の内容を判別する判別手段と、判別結果を表示装置に出力する制御手段と、該出力を表示する表示手段と、ユーザーの入力を取得する入力手段と、入力された情報を格納する格納手段と、該入力情報を表示する領域を有する。【選択図】　　　　図１
2004013803.tif 000002
【特許請求の範囲】
【請求項１】
ネットワークを介して接続されているクライアントまたはサーバーと画像形成装置等のデバイスを管理するネットワーク管理ユーティリティにおいて、ホストコンピュータは前記デバイスの状態情報を取得する取得手段と、取得したデバイス状態情報を判別する判別手段と、状態情報表示の制御を行なう制御手段と、状態情報をクライアントまたはサーバーの表示装置に表示する表示手段を具備するネットワーク管理ユーティリティにおいて、クライアントまたはサーバーから入力される情報を取得する入力手段を具備し、所得した入力情報を該ユーティリティ上の所定の領域に表示することを特徴とするデバイス一覧表示方法。
【請求項２】
該ユーティリティは入力情報種を予め用意し、ユーザーはその選択肢から選択することによって入力操作を容易にし、選択した情報を所定の位置に表示することを特徴とする請求項１記載のデバイス一覧表示方法。
【請求項３】
該ユーティリティは入力情報種を予め用意し、ユーザーはその選択操作のみで情報を表示できるが、情報種が予め用意してあっても任意の入力を許可することを特徴とする請求項１記載のデバイス一覧表示方法。
【請求項４】
該ユーティリティは入力者の制限機能を持ち、入力を許可されたユーザーのみ情報を入力可能とすることを特徴とする請求項１記載のデバイス一覧表示方法。
【請求項５】
該ユーティリティは情報入力対象デバイスを限定する機能を具備し、過剰な情報入力を防ぎ必要な情報だけをユーザーに提供できることを特徴とする請求項１記載のデバイス一覧表示方法。
【請求項６】
該入力情報は入力者名の表示機能を具備し、入力情報の入力者を容易に特定できることを特徴とする請求項１記載のデバイス一覧表示方法。
【請求項７】
該ユーティリティはユーザーの入力が可能な領域を図示し、入力機能の存在をユーザーに認識させることを容易にすることを特徴とする請求項１記載のデバイス一覧表示方法。
【発明の詳細な説明】
【０００１】
【発明の属する技術分野】
本発明は、ネットワークで接続されているデバイスをクライアントまたはサーバー上で管理するネットワーク管理ユーティリティにおけるデバイスの一覧表示制御方法に関する。
【０００２】
【従来の技術】
ネットワーク接続環境において、１つのデバイス、例えばＭＦＰ（ＭｕｌｔｉＦｕｎｃｔｉｏｎ　Ｐｅｒｉｐｈｅｒａｌ）を複数ユーザーが共有使用する環境が一般的になっている。
【０００３】
ネットワーク管理ユーティリティはこのような環境下において、ユーザーがユーティリティ起動することにより、ネットワークを介して接続されているデバイスを自動的に検索し、クライアントまたはサーバー上に検索結果を表示する形態のもので、画面上にデバイス画像、デバイス名、該デバイスの状態を表示する形態が多い。本案は、ユーティリティが表示するデバイス一覧画面のデバイス表示制御に関するものである。
【０００４】
現在のデバイス一覧表示は、デバイス画像、デバイス名、該デバイスの状態情報例えばＲｅａｄｙ／Ｎｏｔ　Ｒｅａｄｙ　などを文字・ビットマップ・アイコン等で表示し、ユーザーは該表示から接続デバイスの状態情報を取得していた。
【０００５】
【発明が解決しようとする課題】
しかしながら、ユーザーが取得する情報はデバイス自らが検知できる状態及び資源とジョブ、例えばデバイスの状態（Ｂｕｓｙ、Ｒｅａｄｙ、Ｎｏｔ　Ｒｅａｄｙ）、資源（フィニッシャーの種類、用紙サイズ等）、受信ジョブ名称に留まっていた。そのためデバイス自らが検知できない情報、例えば装填した用紙の色は現状の検知機能の対象外のためユーティリティ上での認識は出来ない。また手差しトレイの取り替え直後の用紙サイズは一回通紙されるまでそのデバイスは検知できないので、他ユーザーの中にはこれらの情報を認識できぬまま所望外の出力をしてしまうこともあった。このような事態の発生を従来のネットワーク管理ユーティリティでは解決できなかった。
【０００６】
本発明は以上に点に着目して成されたもので、情報画面にユーザー入力欄を設け、該入力情報をデバイス情報画面を通じて全ユーザーに提供することによって、より詳細なデバイス情報を共有するデバイス一覧表示方法を提供することを目的とする。
【０００７】
【課題を解決するための手段】
本発明のネットワーク管理ユーティリティは、クライアントまたはサーバー上において、デバイスヘ情報通知を要求する情報要求手段と、取得した情報の内容を判別する判別手段と、判別結果を表示装置に出力する制御手段と、該出力を表示する表示手段と、ユーザーの入力を取得する入力手段と、入力された情報を格納する格納手段と、該入力情報を表示する領域を有する。
【０００８】
すなわち、本発明の技術内容は以下の構成を備えることにより前記課題を解決できた。
【０００９】
（１）ネットワークを介して接続されているクライアントまたはサーバーと画像形成装置等のデバイスを管理するネットワーク管理ユーティリティにおいて、ホストコンピュータは前記デバイスの状態情報を取得する取得手段と、取得したデバイス状態情報を判別する判別手段と、状態情報表示の制御を行なう制御手段と、状態情報をクライアントまたはサーバーの表示装置に表示する表示手段を具備するネットワーク管理ユーティリティにおいて、クライアントまたはサーバーから入力される情報を取得する入力手段を具備し、所得した入力情報を該ユーティリティ上の所定の領域に表示することを特徴とするデバイス一覧表示方法。
【００１０】
（２）該ユーティリティは入力情報種を予め用意し、ユーザーはその選択肢から選択することによって入力操作を容易にし、選択した情報を所定の位置に表示することを特徴とする前記（１）記載のデバイス一覧表示方法。
【００１１】
（３）該ユーティリティは入力情報種を予め用意し、ユーザーはその選択操作のみで情報を表示できるが、情報種が予め用意してあっても任意の入力を許可することを特徴とする前記（１）記載のデバイス一覧表示方法。
【００１２】
（４）該ユーティリティは入力者の制限機能を持ち、入力を許可されたユーザーのみ情報を入力可能とすることを特徴とする前記（１）記載のデバイス一覧表示方法。
【００１３】
（５）該ユーティリティは情報入力対象デバイスを限定する機能を具備し、過剰な情報入力を防ぎ必要な情報だけをユーザーに提供できることを特徴とする前記（１）記載のデバイス一覧表示方法。
【００１４】
（６）該入力情報は入力者名の表示機能を具備し、入力情報の入力者を容易に特定できることを特徴とする前記（１）記載のデバイス一覧表示方法。
【００１５】
（７）該ユーティリティはユーザーの入力が可能な領域を図示し、入力機能の存在をユーザーに認識させることを容易にすることを特徴とする前記（１）記載のデバイス一覧表示方法。
【００１６】
【作用】
本発明におけるネットワーク管理ユーティリティは、クライアントまたはサーバー上において、ネットワークを介して接続されたデバイスの情報画面に対してユーザーが情報を入力し、該情報をデバイス情報画面に出力する作用を持つ。
【００１７】
【発明の実施の形態】
以下、本発明に係る実施例を図面と共に説明する。
【００１８】
まず最初に、本案に好適な環境を構築するネットワーク接続の全体構成についてターゲットデバイスをプリンタ、ネットワーク管理プロトコルを簡易ネットワーク管理プロトコル（Ｓｉｍｐｌｅ　Ｎｅｔｗｏｒｋ　Ｍａｎａｇｍｅｎｔ　Ｐｒｏｔｏｃｏｌ，　ＳＮＭＰ）に想定して説明する。
【００１９】
図１全体構成図
図１は、プリンタをネットワークに接続するためのネットワークボード（ＮＢ）１０１を、開放型アーキテクチャを持つプリンタ１０２へつなげた場合を示す図である。ＮＢ１０１はローカルエリアネットワーク（ＬＡＮ）１００へ、例えば、同軸コネクタをもつＥｔｈｅｒｎｅｔ（Ｒ）インタフェース１０Ｂａｓｅ−２や、ＲＪ−４５を持つ１０Ｂａｓｅ−Ｔ等のＬＡＮインタフェースを介して接続されている。
【００２０】
ホストコンピュータ１０３やホストコンピュータ１０４等の複数のパーソナルコンピュータ（ホストコンピュータ）もまた、ＬＡＮ１００に接続されており、ネットワークオペレーティングシステムの制御の下、これらのホストコンピュータ１０３，１０４はＮＢ１０１と通信することができる。この状態で、ホストコンピュータの一つ、例えばホストコンピュータ１０３を、ネットワーク管理部として使用するように指定することができる。またホストコンピュータ１０３に、ホストコンピュータ１０４に接続されているプリンタ１０５のようなプリンタを接続してもよい。
【００２１】
また、ＬＡＮ１００にファイルサーバ１０６が接続されており、これは大容量（例えば１００億バイト）のネットワークディスク１０７に記憶されたファイルヘのアクセスを管理する。ブリントサーバ１０８は、接続されたプリンタ１０９、又は遠隔地にあるプリンタ１０５などのプリンタに印刷を行わせる。また他の図示しない周辺機器をＬＡＮ１００に接続してもよい。
【００２２】
ファイルサーバ１０６は、ＬＡＮメンバ間でデータのファイルの受信や、記憶、キューイング、キャッシング、及び送信を行うファイル管理部としての役割を果たす。例えば、ホストコンピュータ１０３及びホストコンピュータ１０４のそれぞれによって作られたデータファイルは、ファイルサーバ１０６へ送られ、ファイルサーバ１０６はこれらのデークファイルを順に並べ、そしてプリントサーバ１０８からのコマンドに従って、並べられたデータファイルをプリンタ１０９ａへ送信する。
【００２３】
またホストコンピュータ１０３とホストコンピューク１０４はそれぞれ、データファイルの生成や、生成したデータファイルのＬＡＮ１００への送信や、また、ＬＡＮ１００からのファイルの受信や、更にそのようなファイルの表示及び／又は処理を行うことのできる通常のホストコンピュータで構成される。尚、図１ではパーソナルコンピュータ機器が示されているが、ネットワークソフトウエアを実行するのに適切であるような、他のコンピュータ機器を含んでもよい。例えば、ＵＮＩＸ（Ｒ）のソフトウエアを使用している場合に、ＵＮＩＸ（Ｒ）ワークステーションをネットワークに含んでもよく、これらのワークステーションは、適切な状況下で、図示されているホストコンピュータと共に使用することができる。
【００２４】
通常、ＬＡＮ１００などのＬＡＮは、一つの建物内の一つの階又は連続した複数の階でのユーザーグループ等の、幾分ローカルなユーザーグループにサービスを提供する。例えば、ユーザーが他の建物や他県にいるなど、あるユーザーが他のユーザーから離れるに従って、ワイドエリアネットワーク（ＷＡＮ）を作ってもよい。従って、図１に示すように、ＬＡＮ１００と、ＬＡＮ１１０と、ＬＡＮ１２０とは変調／復調（ＭＯＤＥＭ）／トランスポンダ１３０及びバックボーン１４０を介して接続されてＷＡＮを形成する。これらの接続は、数本のバスによる単純な電気的接続である。それぞれのＬＡＮは専用のホストコンピュータを含み、また、必ずしも必要なわけではないが、通常はファイルサーバ及びプリントサーバを含む。
【００２５】
従って図１に示すように、ＬＡＮ１１０は、ホストコンピュータ１１１と、ホストコンピュータ１１２と、ファイルサーバ１１３と、ネットワークディスク１１４と、プリントサーバ１１５と、プリンク１１６及びプリンタ１１７とを含む。対照的に、ＬＡＮ１２０はホストコンピュータ１２１とホストコンピュータ１２２のみを含む。ＬＡＮ１００と、ＬＡＮ１１０と、ＬＡＮ１２０とに接続されている機器は、ＷＡＮ接続を介して、他のＬＡＮの機器の機能にアクセスすることができる。
【００２６】
ネットワークボード上へのエージェントの実装例として、プリンタをネットワークに接続するためのネットワークボード上にエージェントを実装することが考えられる。これにより、プリンタをネットワーク管理ユーティリティによる管理の対象とすることができる。ユーザーは、ネットワーク管理ユーティリティを用いて制御対象のプリンタの情報を得、また状態を変更することができる。より具体的には、例えばプリンタの液晶ディスプレイに表示されている文字列を取得したり、デフォルトの給紙カセットを変更したりすることができる。以下、エージェントを実装したネットワークボード（ＮＢ）をプリンタに接続する例で説明する。
【００２７】
図２プリンタ内部構成
ＮＢ１０１とプリンタ１０２とＬＡＮ１００との電気的接続を示すブロック図である。ＮＢ１０１は、ＬＡＮ１００へはＬＡＮインタフェースを介して、プリンタ１０２へはプリンタインタフェースカード１５０を介して直接接続されている。ＮＢ１０１上にはＮＢ１０１を制御するためのマイクロプロセッサ３０１と、マイクロプロセッサ３０１の動作プログラムを格納するためのＲＯＭ３０３と、マイクロプロセッサ３０１がプログラムを実行する上でワークとして用いるためのＲＡＭ３０２と、ＮＢ１０１とプリンタインタフェースカード１５０とが相互にデータをやりとりするための共有メモリ２００があり、これらは内部バスを通じて相互に接続されている。ＮＢ１０１がＳＮＭＰのエージェントとして動作するためのプログラムはＲＯＭ３０３に格納されている。マイクロプロセッサ３０１は、ＲＯＭ３０３に格納されたプログラムに従って動作し、ワークエリアとしてＲＡＭ３０２を用いる。また、プリンタインタフェースカード１５０と相互に通信するためのバッファ領域として共有メモリ２００を用いる。
【００２８】
プリンタインタフェースカード１５０上のマイクロプロセッサ１５１はＮＢ１０１とのデータのアクセスを、ＮＢ１０１に設置されている共有メモリ２００を介して行う。プリンタインタフェースカード１５０上のマイクロプロセッサ１５１は、実際に印刷機構を動かすプリンタエンジン１６０とも通信する。
【００２９】
図３は、ネットワーク管理ユーティリティが稼動可能なホストコンピュータの構成を示すブロック図である。
【００３０】
図３において、５００は、ネットワーク管理ユーティリティが稼動するホストコンピュータであり、図１における１０３と同等である。ホストコンピュータ５００は、ＲＯＭ５０２もしくはハードディスク（ＨＤ）５１１に記憶された、あるいはフロッピー（Ｒ）ディスクドライブ（ＦＤ）５１２より供給されるネットワーク管理ユーティリティを実行するＣＰＵ５０１を備え、システムバス５０４に接続される各デバイスを総括的に制御する。５０３はＲＡＭで、ＣＰＵ５０１の主メモリ、ワークエリア等として機能する。５０５はキーボードコントローラ（ＫＢＣ）で、キーボード（ＫＢ）５０９や不図示のポインティングデバイス等からの指示入力を制御する。５０６はＣＲＴコントローラ（ＣＲＴＣ）で、ＣＲＴディスプレイ（ＣＲＴ）５１０の表示を制御する。５０７はディスクコントローラ（ＤＫＣ）で、ブートプログラム、種々のアプリケーション、編集ファイル、ユーザーファイルそしてネットワーク管理プログラム等を記憶するハードディスク（ＨＤ）５１１およびフロッピー（Ｒ）ディスクコントローラ（ＦＤ）５１２とのアクセスを制御する。５０８はネットワークインタフェースカード（Ｎ１Ｃ）で、ＬＡＮ１００を介して、エージェントあるいはネットワーク機器と双方向にデータをやりとりする。
【００３１】
図４は、ネットワーク管理ユーティリティのモジュール構成図である。
【００３２】
本発明の実施の形態に係るネットワーク管理ユーティリティのモジュール構成図である。このネットワーク管理ユーティリティは、図３におけるハードディスク５１１に格納されており、ＣＰＵ５０１によって実行される。その際、ＣＰＵ５０１はワークエリアとしてＲＡＭ５０３を使用する。
【００３３】
図４において、６０１はデバイスリストモジュールと呼ばれ、ネットワークに接続されたデバイスを一覧にして表示するモジュールである。６０２は全体制御モジュールと呼ばれ、デバイスリストからの指示をもとに、他のモジュールを統括する。６０３はコンフィグレータと呼ばれ、エージェントのネットワーク設定に関する特別な処理を行うモジュールである。６０４は、探索モジュールと呼ばれ、ネットワークに接続されているデバイスを探索するモジュールである。探索モジュール６０４によって探索されたデバイスが、デバイスリスト６０１によって一覧表示される。６０５は、プリントジョブの状況をＮｅｔＷａｒｅＡＰＩ６１６を用いてネットワークサーバから取得するＮｅｔＷａｒｅジョブモジュールである。
【００３４】
６０６および６０７はデバイスリストに表示する以外の詳細情報を表示するためのＵＩモジュールであり、詳細情報を表示する対象機種毎にＵＩモジュールが存在する。６０８および６０９は制御モジュールと呼ばれ、詳細情報を取得する対象機種に特有の制御を受け持つモジュールである。ＵＩモジュールと同様に、制御モジュールも詳細情報を表示する対象機種毎に存在する。制御Ａモジュール６０８および制御Ｂモジュール６０９は、ＭＩＢモジュール６１０を用いて管理対象デバイスからＭＩＢデータを取得し、必要に応じてデータの変換を行い、各々対応するＵＩＡモジュール６０６またはＵＩＢモジュール６０７にデータを渡す。
【００３５】
さて、ＭＩＢモジュール６１０は、オブジェクト識別子とオブジェクトキーとの変換を行うモジュールである。ここでオブジェクトキーとは、オブジェクト識別子と一対一に対応する３２ビットの整数のことである。オブジェクト識別子は可変長の識別子であり、ネットワーク管理ユーティリティを実装する上で扱いが面倒なので、本案に係るネットワーク管理ユーティリティにおいてはオブジェクト識別子と一対一に対応する固定長の識別子を内部的に用いている。ＭＩＢモジュール６１０より上位のモジュールはこのオブジェクトキーを用いてＭＩＢの情報を扱う。６１１はＳＮＭＰモジュールと呼ばれ、ＳＮＭＰパケットの送信と受信を行う。６１２は共通トランスポートモジュールと呼ばれ、ＳＮＭＰデータを運搬するための下位プロトコルの差を吸収するモジュールである。実際には、動作時にユーザーが選択したプロトコルによって、ＩＰＸハンドラ６１３かＵＤＰハンドラ６１４のいずれかがデータを転送する役割を担う。コンフィグレータ６０３が用いる現在のプロトコル６１５というのは、動作時にユーザーが選択している１ＰＸプロトコルかＵＤＰプロトコルのいずれかのことを示す。
【００３６】
フローチャート１：任意情報入力
次に上述の構成でのネットワーク管理ユーティリティを利用したネットワークデバイスの情報取得について図６に示すフローチャート１で説明する。ここでは接続先デバイスとしてプリンタを例にして述べるが、ネットワークデバイスであればいずれも適用可能である。
【００３７】
まず、ネットワーク管理ユーティリティを起動すると、ステップＳ１１では探索モジュールによりこのネットワーク管理ユーティリティで管理しているすべてのＭＩＢのオブジェクトを収集する。
【００３８】
ステップＳ１２では、すべてのオブジェクト情報を取得し終わったかどうかを判断する。すべてのオブジェクト情報を取得し終わったならば、ステップＳ１３により、このネットワーク管理ユーティリティのデバイスリスト６０１を作成し、ステップＳ１４に進んで図５に示すような一覧表示を実行し、本フローチャートを終了する。もし、ステップＳ１２において、すべてのオブジェクト情報を取得し終わっていないならば、ステップＳ１１に戻り、プリンタの情報を再取得し、ステップＳ１３に進む。
【００３９】
次にデバイスリストについて説明する。
【００４０】
ＳＮＭＰによる起動の処理が終了すると、デバイスリスト表示ウィンドウを表示する。このデバイスリスト表示ウィンドウは、現在ネットワークに接続されているデバイスの一覧を表示するためのウィンドウである。デバイスから取得した情報によって、接続デバイスの名称、状態表示などが対応する表示位置に表示される。
【００４１】
デバイスの接続状況や動作状態を一定間隔でポーリングすることにより、デバイスの一覧を定期的に更新し、デバイスの動作状態をアイコンに反映する。新たにデバイスを検出した場合、デバイスの一覧にそのデバイスの情報を追加する。ユーザーはこれらの中から所望のデバイスを選択すると、該デバイスの詳細な資源情報、使用状況等の情報を取得できる。
【００４２】
そして該ユーティリティは上述の情報の他に入力装置を介して入力された情報を取得し、所定の領域に表示する。図５のデバイスリストの例を参照。
【００４３】
実施例１
ここでは所定の領域、例えば手差し給紙装置周辺に任意の入力情報を表示する入力処理を図７に示すフローチャート２を用いて説明する。該ユーティリティは手差し給紙装置周辺に一定の空白領域を明示し、該領域が入力可能領域であることをユーザーに提示する。該入力処理はデバイスリストモジュールにより表示画面でユーザーの入力要求有無を判断し、ユーザーのキー入力またはマウスクリックその他の入力手段によって所望の入力を受け付ける。
【００４４】
まず、ステップ２１でユーザー入力の画面（不図示）において、ユーザーの入力要求を受け付ける。ステップ２２で該ユーザーが入力を許可されたユーザーであるかを判断する。ステップ２２で入力許可有りと判断した場合、ステップ２３で入力ダイアログを表示し、入力を受け付ける。ユーザーはここで任意の情報、例えば“ハガキ”と入力する。ステップ２４で記憶装置に格納し、ステップ２５で所定の領域つまり手差し給紙装置周辺に“ハガキ”と表示を行い処理を終了する。この結果、一旦通紙しなくては装填紙のサイズが不明の場合でも、ユーザーが入力することにより、通紙しなくても該給紙装置の装填紙サイズは全ユーザーに認識されることになる。当該入力処理はユーティリティ画面の表示メニューに組み込んでもよいし、インストール時に選択画面を表示して設定することも可能とする。
【００４５】
実施例２
続いて、所定の領域、例えば手差し給紙装置周辺に特定の入力情報を表示する入力処理を図８に示すフローチャート３を用いて説明する。該入力処理はデバイスリストモジュールにより表示画面でユーザーの入力要求有無を判断し、ユーザーのキー入力またはマウスクリックその他の入力手段によって所望の入力を受け付ける。
【００４６】
まず、ステップ３１でユーザー入力の画面（不図示）において、ユーザーの入力要求を受け付ける。入力要求をユーザーが選択すると、ステップ３２で該ユーザーが入力を許可されたユーザーであるかを判断する。ステップ３２で入力許可有りと判断した場合、ステップ３３で予め登録された複数の情報例えば“ハガキ・Ａ３・Ａ５”と提示される。ステップ３４でユーザーの選択例えば“ハガキ”を取得し、ステップ３５で記憶装置に格納し、ステップ３６で所定の領域つまり手差し給紙装置周辺に“ハガキ”と表示を行い処理を終了する。この結果、ユーザーが逐一入力しなくても該給紙装置の装填紙サイズを表示、全ユーザーに認識されることになる。
【００４７】
実施例３
続いて、デバイスの検知できない情報をユーザーが付加することによって全ユーザーに該情報を認識させられる例を説明する。
【００４８】
所定の領域、例えば手差し給紙装置周辺にデバイスが検知できない情報を表示する入力処理を説明する。該入力処理はデバイスリストモジュールにより表示画面でユーザーの入力要求有無を判断し、ユーザーのキー入力またはマウスクリックその他の入力手段によって所望の入力を受け付ける。
【００４９】
まず、ユーザー入力の画面（不図示）において、ユーザーの入力要求を受け付ける。該ユーザーが入力を許可されたユーザーであるかを判断する。入力許可有りと判断した場合、該デバイスが入力情報表示を許可されたデバイスであるか判断する。該表示を不許可と判断された場合、処理を終了する。該表示を許可されたデバイスであると判断された場合で入カダイアログを表示し、入力を受け付ける。ユーザーはここで任意の情報例えば“ブルー”と入力する。所定の領域つまり手差し給紙装置周辺に“ブルー”と表示を行い処理を終了する。この結果、デバイスが検知できない情報を表示、全ユーザーに認識されることになる。
【００５０】
なお、本実施例では、表示手段としてＣＲＴを使用した場合を例にあげたが、ＣＲＴに限定されるものではない。またＭＦＰデバイスとしてプリンタ・コピー・スキャナを例にして記述しているが、本案は単機能デバイスはもとより、複合機としてのデバイス全般を対象としているものであり、本実施例に挙げたデバイスの種類に限定されるものではない。
【００５１】
【発明の効果】
本実施例によるネットワーク管理ユーティリティを利用するユーザーは、出力デバイスに関する付加情報を入力・表示できるので、全ユーザーが共通の情報を取得可能となる。
【図面の簡単な説明】
【図１】ネットワーク接続例を示す図
【図２】プリンタ内部構成を示す図
【図３】ホストコンピュータの構成を示すブロック図
【図４】ネットワーク管理ユーティリティのモジュール構成図
【図５】デバイス一覧表示例を示す図
【図６】ネットワークデバイスの情報取得について示すフローチャート１（任意情報入力）
【図７】所定の領域、例えば手差し給紙装置周辺に任意の入力情報を表示する入力処理を示すフローチャート２（特定情報選択）
【図８】所定の領域、例えば手差し給紙装置周辺に特定の入力情報を表示する入力処理を示すフローチャート３
【符号の説明】
１００，１１０，１２０　ＬＡＮ
１０１　ネットワークボード
１０１ａ　印刷回路ボード
１０ｌｂ　フェースプレート
１０２，１０５，１０９ａ，１０９ｂ，１１６，１１７　プリンタ
１０２ａ　シリアルポート
１０２ｂ　パラレルポート
１０３，１０４，１１１，１１２，１２１，１２２　ホストコンピュータ
１０６，１１３　ファイルサーバ
１０７，１１４　ネットワークディスク
１０８，１１５　プリントサーバ
１３０　トランスポンダ
１４０　バックボーン
１５０　プリンタインタフェースカード
１５１　マイクロプロセッサ
１６０　プリンタエンジン
１７０　コネクタ
２００　共有メモリ
３０１　マイクロプロセッサ
３０２　ＲＡＭ
３０３　ＲＯＭ
５００　ホストコンピュータ
５０１　ＣＰＵ
５０２　ＲＯＭ
５０３　ＲＡＭ
５０４　システムバス
５０５　キーボードコントローラ
５０６　ＣＲＴコントローラ
５０７　ディスクコントローラ
５０８　ネットワークインタフェースカード
５０９　キーボード
５１０　ＣＲＴディスプレイ
５１１　ハードディスク
５１２　フロッピー（Ｒ）ディスクドライブ
【図１】
2004013803.tif 000003
【図２】
2004013803.tif 000004
【図３】
2004013803.tif 000005
【図４】
2004013803.tif 000006
【図５】
2004013803.tif 000007
【図６】
2004013803.tif 000008
【図７】
2004013803.tif 000009
【図８】
2004013803.tif 000010